(57)【要約】【課題】集塵袋に塵埃が堆積しても吸引力を持続させることができ、塵埃を集塵した集塵袋の取出しが容易にできる電気掃除機を提供することにある。【解決手段】電動送風機と、電動送風機を収納する電動送風機室と、電動送風機室の前部に位置し集塵袋を着脱自在に設けられる集塵室と、電動送風機室と集塵室との間に設けられる仕切板と、を備える掃除機本体を有する電気掃除機において、仕切板は電動送風機と集塵室とを連通する開口部を有し、開口部の前部、かつ集塵室内にフィルタ枠部材を有し、フィルタ枠部材は、フィルタを保持可能なフィルタ保持体と、フィルタ保持体の上部にありフィルタ保持体に対して回動可能な回動体と、からなり、回動体は、上下方向に連通する開口を有する。【選択図】  図２
2013111310.tif 000002
【特許請求の範囲】
【請求項１】
電動送風機と、該電動送風機を収納する電動送風機室と、前記電動送風機室の前部に位置し集塵袋を着脱自在に設けられる集塵室と、前記電動送風機室と前記集塵室との間に設けられる仕切板と、を備える掃除機本体を有する電気掃除機において、
前記仕切板は前記電動送風機と前記集塵室とを連通する開口部を有し、
前記開口部の前部、かつ前記集塵室内にフィルタ枠部材を有し、
前記フィルタ枠部材は、フィルタを保持可能なフィルタ保持体と、該フィルタ保持体の上部にあり該フィルタ保持体に対して回動可能な回動体と、からなり、
前記回動体は、上下方向に連通する開口を有することを特徴とする電気掃除機。
【請求項２】
請求項１に記載の電気掃除機において、
前記回動体が前記フィルタ保持体に対して回動していない場合、前記回動体の前部は前記フィルタ保持体の前部よりも前側に位置し、
前記回動体が前記フィルタ保持体に対して回動した場合、前記回動体の前部は前記フィルタ保持体の前部よりも後側に位置することを特徴とする電気掃除機。
【請求項３】
請求項２に記載の電気掃除機において、
前記フィルタ枠部材は、前記集塵室に対して前記フィルタ枠部材を上下に摺動自在であることを特徴とする電気掃除機。
【請求項４】
請求項１乃至３の何れかに記載の電気掃除機において、
前記回動体が回動した時に、前記回動体の前部が、フィルタ保持体の前面と一直線上またはフィルタ保持体の前面よりも後方に移動することを特徴とする電気掃除機。
【請求項５】
電動送風機と、該電動送風機を収納する電動送風機室と、前記電動送風機室の前部に位置し集塵袋を着脱自在に設けられる集塵室と、前記電動送風機室と前記集塵室との間に設けられる仕切板と、を備える掃除機本体を有する電気掃除機において、
前記仕切板は前記電動送風機と前記集塵室とを連通する開口部を有し、
前記開口部の前部、かつ前記集塵室内にフィルタ枠部材を有し、
前記フィルタ枠部材は、フィルタを保持可能なフィルタ保持体と、該フィルタ保持体の上部にある開口体と、からなり、
前記開口体は、上下方向に連通する開口を有し、かつ前部は前記フィルタ保持体の前部よりも後側に位置し、
前記フィルタ枠部材は、前記集塵室に対して前記フィルタ枠部材を上下に摺動自在であることを特徴とする電気掃除機。
【発明の詳細な説明】
【技術分野】
【０００１】
本発明は、電気掃除機に関するものである。
【背景技術】
【０００２】
塵埃を集塵した集塵袋の取出しが容易にでき、集塵袋に塵埃が堆積しても吸引力を持続させることができる電気掃除機として、特開２０１０−１７８９３６号公報（特許文献１）に記載された電気掃除機がある。特許文献１には、集塵室内に集塵袋側から着脱可能なフィルターを保持したフィルター枠部材を設け、集塵室に対してフィルター枠部材を上下に摺動自在に設け、フィルター枠部材の開閉蓋側に上方風路を設けるとともに、開閉蓋にリブを設け集塵袋と開閉蓋外郭との間で下方風路を構成すると共に下方風路と上方風路の位置を対向させる電気掃除機が記載されている。
【先行技術文献】
【特許文献】
【０００３】
【特許文献１】特開２０１０−１７８９３６号公報
【発明の概要】
【発明が解決しようとする課題】
【０００４】
しかしながら、特許文献１に記載の構成では、吸引力を持続させる上方風路がフィルター枠部材に固定されており、吸引力をより持続させるために上方風路を大きくすると、集塵袋が上方風路に引っかかり取出しが困難になる恐れがある。一方、集塵袋を取出しやすくするために上方風路を小さくすると、吸引力を持続させることが困難になる恐れがある。すなわち、特許文献１の構成では、吸引力の持続と、集塵袋の取出しやすさの両立を図ることが非常に困難であった。
【０００５】
本発明の目的は、集塵袋に塵埃が堆積しても吸引力を持続させることができ、塵埃を集塵した集塵袋の取出しが容易にできる電気掃除機を提供することにある。
【課題を解決するための手段】
【０００６】
上記課題を解決するために、本発明では、電動送風機と、該電動送風機を収納する電動送風機室と、前記電動送風機室の前部に位置し集塵袋を着脱自在に設けられる集塵室と、前記電動送風機室と前記集塵室との間に設けられる仕切板と、を備える掃除機本体を有する電気掃除機において、前記仕切板は前記電動送風機と前記集塵室とを連通する開口部を有し、前記開口部の前部、かつ前記集塵室内にフィルタ枠部材を有し、前記フィルタ枠部材は、フィルタを保持可能なフィルタ保持体と、該フィルタ保持体の上部にあり該フィルタ保持体に対して回動可能な回動体と、からなり、前記回動体は、上下方向に連通する開口を有することを特徴とする。
【０００７】
また、上記課題を解決するために、本発明では、電動送風機と、該電動送風機を収納する電動送風機室と、前記電動送風機室の前部に位置し集塵袋を着脱自在に設けられる集塵室と、前記電動送風機室と前記集塵室との間に設けられる仕切板と、を備える掃除機本体を有する電気掃除機において、前記仕切板は前記電動送風機と前記集塵室とを連通する開口部を有し、前記開口部の前部、かつ前記集塵室内にフィルタ枠部材を有し、前記フィルタ枠部材は、フィルタを保持可能なフィルタ保持体と、該フィルタ保持体の上部にある開口体と、からなり、前記開口体は、上下方向に連通する開口を有し、かつ前部は前記フィルタ保持体の前部よりも後側に位置し、前記フィルタ枠部材は、前記集塵室に対して前記フィルタ枠部材を上下に摺動自在であることを特徴とする。
【発明の効果】
【０００８】
本発明は、集塵袋に塵埃が大量に堆積しても容易に取外しができ、吸引力を持続させることができる電気掃除機を提供することができる。
【図面の簡単な説明】
【０００９】
【図１】本実施例の電気掃除機の全体外観図である。
【図２】本実施例の掃除機本体の外観図である。
【図３】フィルタ枠部材の外観図である。
【図４】上方流路の空気を取込む回動体である。
【図５】本実施例の掃除機本体の外観図である（集塵袋が膨らんだ状態）。
【図６】本実施例の掃除機本体一部の外観図である。
【図７】本実施例の掃除機本体の集塵室の中央断面図である（集塵袋が膨らんで集塵室から取出す前の状態）。
【図８】本実施例の掃除機本体の集塵室の中央断面図である（集塵袋が膨らんで集塵室から取出す状態）。
【図９】別実施例の電気掃除機の縦断面図である。
【発明を実施するための形態】
【００１０】
以下、本実施例を添付の図面に基づいて説明する。
【００１１】
〔実施例〕
図１は、本実施例の電気掃除機の全体外観図である。１は、被清掃面にある塵埃を含んだ空気を吸い込む吸口、２は一端が吸口１に連通し吸口１から吸い込んだ塵埃を含んだ空気が通る延長管、３は一端が延長管２の他端に連通し塵埃を含んだ空気が通る可撓性のホース、４はホース３の他端に連通し塵埃を含んだ空気から塵埃を捕集する機構を有する掃除機本体である。本実施例において、図１のように使用する場合の掃除機本体４において、開閉蓋７や上本体５のある方向を上方向、下本体６のある方向を下方向、吸込口３０のある方向を前方向、排出口３１のある方向を後方向、車輪３２のある方向をそれぞれ右方向、左方向とする。
【００１２】
次に掃除機本体４の内部構造及び本実施例の電気掃除機の動作を簡単に説明する。掃除機本体４内の前部分には集塵室８が設けられており、後部分には電動送風機室とコードリール室が設けられている。集塵室８には集塵袋９等を着脱自在に設けることができる。電動送風機室には電動送風機が設けられており、コードリール室にはコードリールが設けられている。コードリールによって外部から得られた電力により電動送風機が駆動する。電動送風機が駆動すると、吸口１から塵埃を含んだ空気を吸引し、吸口１から吸引された塵埃を含んだ空気は延長管２、ホース３を通り吸入口３０から掃除機本体４内に吸い込まれる。掃除機本体４内に吸い込まれた空気に含まれる塵埃は集塵袋９等により集塵される。集塵袋９等により塵埃と分離した空気は電動送風機に吸い込まれ、電動送風機後流の排出口３１から掃除機本体外へと排出される。
【００１３】
図２は本実施例の掃除機本体４の外観図である。ここに示すように、開閉蓋７は上本体５の略中央部を支点として回動可能に設けられている。掃除機本体４の内部では集塵室８と電動送風機室との間に仕切壁が設けられており、仕切壁には集塵室８と電動送風機室とを連通する開口部が設けられている。この開口部の集塵室８側にはフィルタ枠部材１０が設けられている。このフィルタ枠部材１０は集塵室８に対して上下方向に摺動可能に設けられており、図７はフィルタ枠部材１０を上方向に摺動させた状態を示している。なお、本実施例においてはフィルタ枠部材１０の摺動は手動で行われるが、モータを設け電動で行っても良い。
【００１４】
図３にフィルタ枠部材１０の外観図を示す。フィルタ枠部材１０は、フィルタが収まるフィルタ保持体３３と、回動体１１の２つの部品から成り立つ。
【００１５】
フィルタ保持体３３は、略長方形状の外郭１０ａと、上下方向に延びる複数の縦支骨１０ｂと、左右方向に延びる複数の横支骨１０ｃと、上下方向に延びる複数の支骨のうちの２つの支骨に形成された凸部１６と、外郭１０ａに設けられてフィルタを保持するためのリブ１４と、を有する。縦支骨１０ｂの上下端および横支骨１０ｃの左右端は、外郭１０ａによって支持され、縦支骨１０ｂと横支骨１０ｃとは互いにその接触点で支持しあい、縦支骨１０ｂと横支骨１０ｃとで格子を形成している。
【００１６】
回動体１１は、フィルタ保持体３３の上部にあり回動部１３を軸として、フィルタ保持体３３に対して回動可能になる構成である。回動体１１には、上下方向に開口する上方風路１２と、前後方向に開口する開口Ｃ１９を形成してある。この上方風路１２や開口Ｃ１９は、フィルタ保持体３３よりも前側に形成し、フィルタよりも前側に形成するのが好ましい。この上方風路１２と前方風路１９を確保することで吸引力が持続する。なお、回動部１３には、電動送風機側へ反った回動体１１を、もとの位置に戻すために付勢バネなどの弾性体やモータを設けてもよい。
【００１７】
図４を用いて、回動体１１の外観を説明する。ここに示すように、回動体１１は、略直方体形状であり、前面、上面、下面、後面、左面、右面を有する。本実施例において、それぞれの面は平面状である。上面には複数の開口Ａ１８、下面には複数の開口Ｂ２０、前面には複数の開口Ｃ１９が設けられている。そして、開口Ａ１８と開口Ｂ２０とで上下に貫通する上方風路１２を構成する。開口Ａ１８と開口Ｂ２０と開口Ｃ１９とは略直方体形状の回動体１１内で連通しており、集塵袋９に塵埃が堆積した場合であっても吸込口３０から吸引した空気を電動送風機室に取込むための開口である。回動体１１の下面にある開口Ｂ２０や前面にある開口Ｃ１９は集塵袋９に面するため、何れか一方が集塵袋９で塞がれた場合に他方があることにより開口Ａ１８からの空気を取込むことができる。ただし、開口Ｂ２０や開口Ｃ１９は塵埃が大量に堆積した場合には集塵袋９が膨張すると塞がれてしまう恐れがある。それに対して、回動体１１の上面にある開口Ａ１８は塵埃が大量に堆積して集塵袋９が膨張しても塞がれることがないので、開口Ａ１８を広げることで集塵袋９に塵埃が堆積してもより多くの空気を取込むことができる。なお、後面に開口を設け、開口Ａ、開口Ｂ、開口Ｃを通過した空気を電動送風機室側に導くようにしても良い。
【００１８】
開口Ａ１８を広げると、集塵袋９を取出す際に回動体１１に集塵袋９が引っ掛かりやすくなるが、回動体１１は回動部１３を支点として回動するため、回動体１１の前部を、フィルタ保持体３３の前面か、フィルタ保持体３３の前面よりも後方に移動させることができ、回動体１１に引っ掛けずに集塵袋９を容易に取出すことができる。
【００１９】
以上で説明したように、集塵袋９が膨張した場合であってもふさがれることのない開口Ａ１８を有することで集塵袋９が膨張してもより多くの空気を取込むことができ、また、フィルタ保持体３３に対して回動可能な回動体１１を有することで、集塵袋９が引っ掛からず取出せ使い勝手が良い電気掃除機を提供することができる。
【００２０】
また、本実施例において、回動体１１の後面は上面や下面に対して略垂直に設けられている。回動体１１の前面は、上側が下側に比べて前方向に出るように傾斜している。これは、集塵袋９が膨らんだ際や、集塵袋９を取出す際に引っ掛かることのないようにするためである。なお、本実施例において前面は平面状だが、回動体１１の前面が、上側から下側に向かって凹むようなＲをつけても良く、Ｒをつけることでより集塵袋９が膨らみ易くなる効果を得ることができる。集塵袋の膨らみ方によっては、回動体１１の前面が、左側から右側に向かって凹むようなＲをつけても良い。この場合も、集塵袋９が膨らみ易くなる効果を得ることができる。
【００２１】
更に、フィルタ枠部材１０を集塵室に対して上下方向に摺動自在に設けることで、更に集塵袋９が引っ掛からず取出せ使い勝手が良い電気掃除機を提供することができる。
【００２２】
図５は、塵埃を吸引した集塵袋９を引き出す際の状態を表している。吸引力を持続させるために上方風路１２の空気を取込む部分の開口長を広げるとフィルタ枠部材が集塵袋９に引っ掛かって余計に引き出しを阻害する恐れがあった。しかし、本実施例では、上方風路１２の空気を取込む回動体１１を前記フィルタ枠部材１０のフィルタ保持体３３に対して回動可能にしたことで、集塵袋９を取出すと回動体１１が後方に反れて集塵袋９が上方風路１２の空気を取込む回動体１１への引っ掛かりを避け集塵袋９と一緒に引き出されて容易に集塵袋９を引き出すことができ、容易に集塵袋９を交換できる。尚、集塵袋９を引き出した状態で、フィルタ枠部材１０の上端が、開閉蓋７の内面に形成された支骨やリブに当たりそれ以上の回動は行われなくなる。
【００２３】
図６は、集塵袋９を引き出した後の状態（フィルタは図示せず）を表している。このようにフィルタ枠部材１０が摺動し上部に位置した状態で、開閉蓋７を開放状態から閉塞状態へ回動した時には、フィルタ枠部材１０は開閉蓋７の内面の支骨またはリブなどによって押されて下方へ摺動し、その結果開閉蓋７の回転動作に連動して下端位置へ導かれるので、使用者がフィルタ枠部材１０を下方へ下げる必要がなくなる。そのため、使い勝手が良くフィルタ枠部材１０が確実に下本体６へ収納される電気掃除機を実現することができる。フィルタ枠部材１０が摺動し上部に位置し、かつ回動体１１がフィルタ保持体３３に対して回動した状態であれば、開閉蓋７を開放状態から閉塞状態へ回動した時には、回動体１１は開閉蓋７の内面の支骨またはリブなどによって押されて回動し、回動前の元の位置にもどるため、使用者が回動体１１を回動前の元の位置へ戻す必要がなくなる。
【００２４】
図７は、集塵室から集塵袋９を引き出す前の状態の中央断面図であり、集塵室に集塵袋９が収納されている。集塵袋９が収納され塵埃が大量に堆積した状態でも、回動体１１の集塵袋９に接する部分が傾斜するような前面を形成した構成としたため、集塵袋９は破れにくく、前記上方風路１２の空気を取込む回動体１１は集塵袋９が膨らんでいくことを阻害しにくい。回動体１１がフィルタ保持体３３に対して回動していない状態において、回動体１１の前部はフィルタ保持体３３の前部よりも前方に位置する。開閉蓋７が閉塞状態であれば、回動体１１とフィルタ保持体３３は上記の位置関係となる。塵埃を大量に吸い込み集塵袋９が集塵室内に広がったとしても回動体１１はフィルタ保持体３３に対し回動しない。集塵袋９を掃除機本体から引き出す際には、回動体１１がフィルタ保持体３３に対し回動するため、回動する前に回動体１１があった部分がスペースとなり、集塵袋９とフィルタ枠部材が押し付けられている状態が緩和される。よって、集塵袋の取出しが容易となる。
【００２５】
図８は、集塵室８から集塵袋９を引き出す際の状態の前後方向中央断面図である。集塵袋９を取出す際にフィルタ枠部材１０が一緒に掃除機本体４の上方に引き出される。詳述すると集塵袋９が取出される時に前記フィルタ枠部材１０が上方に摺動し、回動体１１は前記フィルタ枠部材１０の集塵室側の面より電動送風機側に回動する。回動体１１の前面を傾斜形成としたため、回動体１１が接触しても集塵袋９は破れにくく、集塵袋９を容易に取外すことができるので集塵袋９の交換が非常に簡単となる。そして、集塵袋９が取外された直後に、フィルタ枠部材１０は自重により、下方向へ（重力作用方向へ）下端まで戻る構成としてもよいし、静止摩擦力によりフィルタ枠部材１０が上端または上部に溜まる構成としてもよい。
【００２６】
図９は、別実施例の電気掃除機の縦断面図である。基本的な構成は前記実施例と同様である。前記実施例と異なる点は、フィルタ枠部材１１０と仕切壁２００の形状である。本実施例においては、フィルタ枠部材１１０は、フィルタが収まるフィルタ保持体１３３と、開口体１１１の２つの部品から成り立つ。
【００２７】
フィルタ保持体１３３の構造は前記実施例のフィルタ保持体３３と同様である。
【００２８】
開口体１１１は、フィルタ保持体１３３の上部に固定されている。回動体１１１には、上下方向に開口する上方風路１１２を形成してある。前記実施例とは異なり、この上方風路１１２は、フィルタ保持体１３３よりも後側に形成してある。この上方風路１１２を確保することで吸引力が持続する。
【００２９】
開口体１１１は、略直方体形状であり、前面、上面、下面、後面、左面、右面を有する。本実施例において、それぞれの面は平面状である。上面には複数の開口Ｄ１１８、下面には複数の開口Ｅ１２０、が設けられている。そして、開口Ｄ１１８と開口Ｅ１２０とで上下に貫通する上方風路１１２を構成する。開口Ｄ１１８と開口Ｅ１２０とは略直方体形状の開口体１１１内で連通しており、集塵袋９に塵埃が堆積した場合であっても吸込口３０から吸引した空気を電動送風機室に取込むための開口である。開口体１１１の上面にある開口Ｄ１１８は塵埃が大量に堆積して集塵袋９が膨張しても塞がれることがないので、開口Ｄ１１８を広げることで集塵袋９に塵埃が堆積してもより多くの空気を取込むことができる。
【００３０】
本実施例においては、開口Ｄ１１８を広げても開口体１１１の前部がフィルタ保持体１３３と同じかそれよりも後方に位置するため、開口体１１１に引っ掛けずに集塵袋９を容易に取出すことができる。
【００３１】
仕切壁２００は開口体１１１が引っかかることのない構成となっている。
【符号の説明】
【００３２】
１  吸口
２  延長管
３  ホース
４  掃除機本体
５  上本体
６  下本体
７  開閉蓋
８  集塵室
９  集塵袋
１０  フィルタ枠部材
１１  回動体
１２  上方風路
１３  回動部
１４  リブ
１６  凸部
１８  開口Ａ
２０  開口Ｂ
【図１】
2013111310.tif 000003
【図２】
2013111310.tif 000004
【図３】
2013111310.tif 000005
【図４】
2013111310.tif 000006
【図５】
2013111310.tif 000007
【図６】
2013111310.tif 000008
【図７】
2013111310.tif 000009
【図８】
2013111310.tif 000010
【図９】
2013111310.tif 000011